(57)【要約】      （修正有）【課題】  書き戻しにより高品位な画像を維持して短い遷移時間でつなぎ記録を行う。【解決手段】  記録待機モードになる前の動作モードに応じて、順方向の１倍速走行にて、トラッキングをかけた状態で下地で残すべき最終ブロックのデータを再生してメモリに書き込み、上記メモリ５０から下地で残すべき最終ブロックのデータを読み出してつなぎ記録を行う第１の方式と、記録モードにおいて上記メモリ５０に格納された下地で残すべき最終ブロックのデータをメモリ５０から読み出してつなぎ記録を行う第２の方式と、順方向の１／２倍速以下の走行速度にて、トラッキングをかけずに、倍密度以上のスキャンにて、下地で残すべき最終ブロックのデータを再生して 上記メモリ５０に書き込み、上記メモリ５０から下地で残すべき最終ブロックのデータを読み出してつなぎ記録を行う第３の方式とを切り換えてつなぎ記録を行う。【選択図】図１
2005182954.tif 000002
【特許請求の範囲】
【請求項１】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する記憶手段と、
上記記憶手段に対するデータの書き込み／読み出し制御を行う制御手段とを備え、
上記制御手段は、記録待機モードになる前の動作モードに応じて、順方向の１倍速走行にて、トラッキングをかけた状態で下地で残すべき最終ブロックのデータを再生して上記記憶手段に書き込み、上記記憶手段から下地で残すべき最終ブロックのデータを読み出してつなぎ記録を行う第１の方式によるつなぎ記録の制御と、記録モードにおいて上記記憶手段に格納された下地で残すべき最終ブロックのデータを当該記憶手段から読み出してつなぎ記録を行う第２の方式によるつなぎ記録の制御とを切り換えて、つなぎ記録を行うことを特徴とする磁気記録再生装置。
【請求項２】
上記制御手段は、記録待機モードになる前の動作モードが停止モードであった場合に上記第１の方式によるつなぎ記録の制御を行い、また、記録待機モードになる前の動作モードが記録モードであった場合に上記第２の方式によるつなぎ記録を行うことを特徴とする請求項１記載の磁気記録再生装置。
【請求項３】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する記憶手段と、
上記記憶手段に対するデータの書き込み／読み出し制御を行う制御手段とを備え、
上記制御手段は、記録待機モードになる前の動作モードに応じて、順方向の１倍速走行にて、トラッキングをかけた状態で下地で残すべき最終ブロックのデータを再生して上記記憶手段に書き込み、上記記憶手段から下地で残すべき最終ブロックのデータを読み出してつなぎ記録を行う第１の方式によるつなぎ記録の制御と、記録モードにおいて上記記憶手段に格納された下地で残すべき最終ブロックのデータを当該記憶手段から読み出してつなぎ記録を行う第２の方式によるつなぎ記録の制御と、順方向又は逆方向の１／２倍速以下の走行速度にて、トラッキングをかけずに、倍密度以上のスキャンにて、下地で残すべき最終ブロックのデータを再生して 上記記憶手段に書き込み、上記記憶手段から下地で残すべき最終ブロックのデータを読み出してつなぎ記録を行う第３の方式によるつなぎ記録の制御とを切り換えて、つなぎ記録を行うことを特徴とする磁気記録再生装置。
【請求項４】
上記制御手段は、記録待機モードになる前の動作モードが停止モードであった場合に上記第１の方式機によるつなぎ記録を行い、また、記録待機モードになる前の動作モードが記録モードであった場合に上記第３の方式によるつなぎ記録を行うことを特徴とする請求項３記載の磁気記録再生装置。
【請求項５】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する記憶手段と、
上記記憶手段に対するデータの書き込み／読み出し制御を行う制御手段とを備え、
上記制御手段は、記録待機モードになる前の動作モードに応じて、順方向の１倍速走行にて、トラッキングをかけた状態で下地で残すべき最終ブロックのデータを再生して上記記憶手段に書き込み、上記記憶手段から下地で残すべき最終ブロックのデータを読み出してつなぎ記録を行う第１の方式によるつなぎ記録の制御と、記録モードにおいて上記記憶手段に格納された下地で残すべき最終ブロックのデータを当該記憶手段から読み出してつなぎ記録を行う第２の方式によるつなぎ記録の制御と、順方向の１／２倍速以下の走行速度にて、トラッキングをかけずに、倍密度以上のスキャンにて、下地で残すべき最終ブロックのデータを再生して 上記記憶手段に書き込み、上記記憶手段から下地で残すべき最終ブロックのデータを読み出してつなぎ記録を行う第３の方式によるつなぎ記録の制御とを切り換えて、つなぎ記録を行うことを特徴とする磁気記録再生装置。
【請求項６】
上記制御手段は、上記制御手段は、記録待機モードになる前の動作モードが停止モードであった場合に上記第１の方式によるつなぎ記録の制御を行い、また、記録待機モードになる前の動作モードが記録モードであった場合に上記第２の方式によるつなぎ記録を行い、さらに、記録待機モードになる前の動作モードが再生停止モードであった場合には、第３の方式による記録を行うことを特徴とする請求項５記載の磁気記録再生装置。
【発明の詳細な説明】
【技術分野】
【０００１】
本発明は、デジタルデータの磁気記録再生装置に関し、特に、つなぎ記録機能を備える磁気記録再生装置に関する。
【背景技術】
【０００２】
回転ヘッドによってテープ状記録媒体にデジタルデータを記録し、また、記録媒体から回転ヘッドによりこのデジタルデータを再生する民生用のデジタル磁気記録再生装置では、１フレームを複数のトラックに分割して記録するセグメント記録方式が採用されており、１フレームを構成する複数のトラックの情報を全て再生されないと再生画像を出力することができないので、再生された情報をメモリに順次蓄積して１フレーム分の情報が揃った時点で再生画像を出力するようにしている（例えば、特許文献１参照）。
【０００３】
また、画像データや音声データを圧縮して記録媒体に記録するための高能率の圧縮方式として、例えば、ＭＰＥＧ（Moving Picture Expert Group）方式が知られている。
【０００４】
ＭＰＥＧ方式では、データ量を圧縮するにあたって、その映像フレームのデータだけで独立して符号化するフレーム内符号化画像（Ｉピクチャ）、前方向のフレームの情報を元に符号化するフレーム間順方向予測符号化画像（Ｐピクチャ）、前方向と後方向のフレームを元に符号化する双方向予測符号化画像（Ｂピクチャ）という3種類の画像圧縮手法を使って、効率的にデータ量を削減している。
【０００５】
また、民生用のデジタル磁気記録再生装置における再生方式として、再生ヘッドが記録トラックの中心を通るように、記録されたトラックの再生情報を用いてテープ走行方向にトラッキングサーボをかけて、再生ヘッドで１トラックを１スキャンして再生データを得るトラッキング再生方式と、狭トラック対応のために再生時にトラッキングをかけるのではなく、１トラックのデータを２回以上スキャンして、正しいほうのデータをメモリに取っておき、データがそろった時点で、復号することで正しいデータを得るノントラッキング再生方式が知られている。
【０００６】
さらに、コンピュータデータの大容量バックアップ用のデジタルデータストレージ装置として、通常のトラッキング再生動作機能に加えて、トラック曲がり等の不具合トラックの救済のためのノントラッキング再生動作機能を搭載した磁気記録再生装置が提案されている（例えば、特許文献２参照）。
【０００７】
また、デジタル画像データを高能率符号化してテープ記録でつなぎ記録をする際に、下地で残すべき最終ブロックを読み込み、下地の有効データの最終部分に、新たに記録するデータをつなげて、新たなブロックを作り、この新たなブロックをテープに書き戻すことにより、つなぎ部での画フリーズや音途切れを少なくしたり、記録開始部分の画質を低下させないようにすることが行われている（例えば、特許文献３参照）。
【０００８】
ところで、ＭＰＥＧのテープ記録でつなぎ記録をする際に、つなぎ部での画フリーズや音途切れを少なくしたり、記録開始部分の画質を低下させないようにするために、例えば図９〜図１１に示すように、下地で残すべき最終ブロックを読み込み、下地の有効データの最終部分に、新たに記録するデータをつなげて、新たなブロックを作り、この新たなブロックをテープに書き戻すという方式が考えられている。
【０００９】
ここで、図９はつなぎ記録前の記録の様子を示している。
【００１０】
図９では、（Ａ）に示すような順番のフレーム単位の画面ａ０から画面ａ１６のデータが、ＭＰＥＧ方式に従って映像フレームの順序を入れ換えて符号化された（Ｂ）に示すような順番のデータストリーム（Ｉ２，Ｂ０，Ｂ１，・・・，Ｐ１２，Ｐ１３）とされ、さらにリードソロモン符号を採用した内符号（Ｃ１）パリティと外符号（Ｃ２）パリティを付加するエラー訂正符号化処理が施されて、（Ｃ）に示すようにテープ上に記録されている。
【００１１】
図１０は、下地を書き戻さないで次の外符号の符号訂正面から記録するようにしたつなぎ記録の様子を示している。
【００１２】
この図１０に示すつなぎ記録では、（Ａ）に示すような順番のフレーム単位の画面ｂ０から画面ｂ１３のデータが、（Ｂ）に示す下地画面ａ２の次に画面ｂ０からつながれ、ＭＰＥＧ方式に従って映像フレームの順序を入れ換えて符号化された（Ｃ）に示すような順番のデータストリーム（Ｉ２，Ｂ０，Ｂ１，・・・，Ｐ１２，Ｐ１３）とされ、さらにエラー訂正符号化処理が施されて、（Ｄ）に示すようにテープ上に記録されている。
【００１３】
このように下地を書き戻さないで次の外符号の符号訂正面から記録するようにしてつなぎ記録を行う場合には、図１０の（Ｄ）に破線の丸い枠で囲んで示すつなぎ部の直前の下地データが無効データとなり、テープに間隙を生じてしまうことによって、つなぎ部がフリーズし易くなる。通常、前のストリームのエンディングディレイに対し、次のストリームのスタートアップディレイの方が大きくなりがちなので、上記フリーズを防ぐには、つなぎ記録開始部分の符号化量をより制限する必要がある。
【００１４】
図１１は、最後のデータが含まれるエラー訂正ブロックを一度読み込んで、追加記録するデータをつなげて書き戻すようにしたつなぎ記録の様子を示している。
【００１５】
この図１１に示すつなぎ記録では、（Ａ）に示すような順番のフレーム単位の画面ｂ０から画面ｂ１３のデータを（Ｂ）に示す下地画面ａ２の次に画面ｂ０からつなぐ際に、下地データａの最後のデータが含まれるエラー訂正ブロックを一度読み込んで、追加記録データｂをつなぎ、ＭＰＥＧ方式に従って映像フレームの順序を入れ換えて符号化された（Ｃ）に示すような順番のデータストリーム（Ｉ２，Ｂ０，Ｂ１，・・・，Ｐ１２，Ｐ１３）とされ、さらにエラー訂正符号化処理が施されて、（Ｄ）に示すようにテープ上に記録されている。
【００１６】
このように下地データを書き戻すようにしてつなぎ記録を行う場合には、図１１の（Ｄ）に破線の丸い枠で囲んで示す書き戻されたつなぎ部の下地データが無効データとならず、図１０の場合に比べて間隙がないので、フリーズはしにくい。
【００１７】
【特許文献１】特許第３１２５４７９号公報
【特許文献２】特開２００３−２３３９３８号公報
【特許文献３】特開２００１−９４９４０号公報
【発明の開示】
【発明が解決しようとする課題】
【００１８】
しかしながら、トラッキング再生方式を採用した従来の民生用デジタル磁気記録再生装置では、トラッキングをかけていない状態、例えば停止状態から再生を開始したときに、トラッキングがかかるまでには、最大２００ｍsecから３００ｍsec程度の時間が必要である。このため、上述の如きつなぎ記録を行うために、下地データを正しく得たいときには、読みたい下地がある場所からある程度手前のテープ位置から再生をスタートし、トラッキングをかけた状態で下地データを読む必要がある。
【００１９】
また、磁気テープの順方向走行、逆方向走行の走行方向を変える時には、メカデッキのメカポジションを変える必要があったり、メカデッキにもよるが、逆方向走行から順方向走行になったときには、少しテープ走行させないとテープパスが安定しないため、少し多めにリバース走行させておく必要があるなど、メカ遷移にはある程度の時間がかかってしまう。
【００２０】
そこで、本発明の目的は、上述の如き従来の問題点に鑑み、品質の良好なつなぎ記録を短い待ち時間で行うことができる磁気記録再生装置を提供することにある。
【００２１】
本発明の更に他の目的、本発明によって得られる具体的な利点は、以下に説明される実施の形態の説明から一層明らかにされる。
【課題を解決するための手段】
【００２２】
本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する記憶手段と、上記記憶手段に対するデータの書き込み／読み出し制御を行う制御手段とを備え、上記制御手段は、記録待機モードになる前の動作モードに応じて、順方向の１倍速走行にて、トラッキングをかけた状態で下地で残すべき最終ブロックのデータを再生して上記記憶手段に書き込み、上記記憶手段から下地で残すべき最終ブロックのデータを読み出してつなぎ記録を行う第１の方式によるつなぎ記録の制御と、記録モードにおいて上記記憶手段に格納された下地で残すべき最終ブロックのデータを当該記憶手段から読み出してつなぎ記録を行う第２の方式によるつなぎ記録の制御とを切り換えて、つなぎ記録を行うことを特徴とする。
【００２３】
また、本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する記憶手段と、上記記憶手段に対するデータの書き込み／読み出し制御を行う制御手段とを備え、上記制御手段は、記録待機モードになる前の動作モードに応じて、順方向の１倍速走行にて、トラッキングをかけた状態で下地で残すべき最終ブロックのデータを再生して上記記憶手段に書き込み、上記記憶手段から下地で残すべき最終ブロックのデータを読み出してつなぎ記録を行う第１の方式によるつなぎ記録の制御と、記録モードにおいて上記記憶手段に格納された下地で残すべき最終ブロックのデータを当該記憶手段から読み出してつなぎ記録を行う第２の方式によるつなぎ記録の制御と、順方向又は逆方向の１／２倍速以下の走行速度にて、トラッキングをかけずに、倍密度以上のスキャンにて、下地で残すべき最終ブロックのデータを再生して 上記記憶手段に書き込み、上記記憶手段から下地で残すべき最終ブロックのデータを読み出してつなぎ記録を行う第３の方式によるつなぎ記録の制御とを切り換えて、つなぎ記録を行うことを特徴とする。
【００２４】
さらに、本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する記憶手段と、上記記憶手段に対するデータの書き込み／読み出し制御を行う制御手段とを備え、上記制御手段は、記録待機モードになる前の動作モードに応じて、順方向の１倍速走行にて、トラッキングをかけた状態で下地で残すべき最終ブロックのデータを再生して上記記憶手段に書き込み、上記記憶手段から下地で残すべき最終ブロックのデータを読み出してつなぎ記録を行う第１の方式によるつなぎ記録の制御と、記録モードにおいて上記記憶手段に格納された下地で残すべき最終ブロックのデータを当該記憶手段から読み出してつなぎ記録を行う第２の方式によるつなぎ記録の制御と、順方向の１／２倍速以下の走行速度にて、トラッキングをかけずに、倍密度以上のスキャンにて、下地で残すべき最終ブロックのデータを再生して 上記記憶手段に書き込み、上記記憶手段から下地で残すべき最終ブロックのデータを読み出してつなぎ記録を行う第３の方式によるつなぎ記録の制御とを切り換えて、つなぎ記録を行うことを特徴とする。
【発明の効果】
【００２５】
本発明では、つなぎ記録を行う当たり、記録待機モードになる前の動作モードに応じて、下地読みの方法を変えることで、書き戻しにより高品位な画像を維持して短い遷移時間でつなぎ記録を行うことができる。
【発明を実施するための最良の形態】
【００２６】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２７】
本発明は、例えば図１に示すような構成の磁気記録再生装置１００に適用される。
【００２８】
この磁気記録再生装置１００は、カメラ一体型のビデオテープレコーダであって、カメラ１及びマイクロホン２が接続された記録信号処理部１０、この記録信号処理部１０から記録信号が供給される記録再生部２０、この記録再生部２０から再生信号が供給される再生信号処理部３０、これらを制御する制御部４０、上記記録信号処理部１０及び記録再生部２０に接続されたメモリ５０、上記制御部４０に接続された操作部６０などからなる。
【００２９】
上記記録信号処理部１０は、上記カメラ１及びマイクロホン２からアナログビデオ信号及びアナログオーディオ信号が供給されるアナログ／デジタル（Ａ／Ｄ）変換器１１，１２、上記Ａ／Ｄ変換器１１，１２の出力が供給される符号化処理部１３，１４、上記符号化処理部１３，１４の出力が供給されるマルチプレクサ（ＭＵＸ）１５、上記ＭＵＸ１５の出力が供給されるエラー訂正（ＥＣＣ）処理部１６、このＥＣＣ処理部１６の出力が供給されるデジタル／アナログ（Ｄ／Ａ）変換器１７、このＤ／Ａ変換器１７の出力が供給される記録増幅器１８などからなる。上記ＭＵＸ１５には、メモリ５０が接続されている。また、上記ＭＵＸ１５の動作は、上記制御部４０により制御されるようになっている。
【００３０】
この記録信号処理部１０において、上記Ａ／Ｄ変換器１１，１２は、上記カメラ１及びマイクロホン２から供給されたアナログビデオ信号及びアナログオーディオ信号をデジタル化する。上記符号化処理部１３，１４は、上記Ａ／Ｄ変換器１１，１２によりデジタル化されたビデオデータ及びオーディオデータをＭＰＥＧ方式に従って符号化する。上記ＭＵＸ１５は、上記符号化処理部１３，１４により符号化された符号化ビデオデータ及び符号化オーディオデータからＭＰＥＧ方式に従ったデータストリームを生成する。
上記ＥＣＣ処理部１６は、上記ＭＵＸ１５により生成されたデータストリームに対して所定のエラー訂正（ＥＣＣ）ブロック単位、例えば８トラック分を１ＥＣＣブロックとしてエラー訂正符号を生成して付加する。上記Ｄ／Ａ変換器１７は、上記ＥＣＣ処理部１６によりエラー訂正符号が付加されたデータストリームをアナログ化して記録信号とする。そして、上記記録増幅器１８は、上記Ｄ／Ａ変換器１７によりアナログ化された記録信号を増幅して記録再生部２０に供給する。
【００３１】
また、上記記録再生部２０は、アジマスの異なる一対の磁気ヘッド２１Ａ，２１Ｂが１８０°対向で設けられた回転ドラム２２、この回転ドラム２２を回転させるドラムモータ２３、上記回転ドラム２２に巻装される磁気テープ２４を走行させるキャプスタンモータ２５などからなる。
【００３２】
上記ドラムモータ２３及びキャプスタンモータ２５は、上記制御部４０により回転方向や回転速度が制御される。
【００３３】
そして、上記一対の磁気ヘッド２１Ａ，２１Ｂは、磁気テープ２４上の傾斜トラックを走査して、上記記録信号処理部１０から供給される記録信号を上記記録トラックに記録する。また、上記一対の磁気ヘッド２１Ａ，２１Ｂは、磁気テープ２４上の傾斜トラックを走査することにより得られる再生信号を上記再生信号処理部３０に供給する。
【００３４】
上記再生信号処理部３０は、上記記録再生部２０から再生信号が供給される再生増幅器３１、この再生増幅器３１の出力が供給されるアナログ／デジタル（Ａ／Ｄ）変換器３２、このＡ／Ｄ変換器３２の出力が供給されるエラー訂正（ＥＣＣ）処理部３３、このＥＣＣ処理部３３の出力が供給されるデマルチプレクサ（ＤＥＭＵＸ）３４、このＤＥＭＵＸ３４の出力が供給される復号化処理部３５，３６、この復号化処理部３５，３６の出力が供給されるデジタル／アナログ（Ｄ／Ａ）変換器３７，３８などからなる。上記ＤＥＭＵＸ３４には、上記メモリ５０が接続されている。また、上記ＥＣＣ処理部３３及びＤＥＭＵＸ３４の動作は、上記制御部４０により制御されるようになっている。
【００３５】
この再生信号処理部３０において、上記再生増幅器３１は、上記記録再生部２０から供給された再生信号を増幅する。上記Ａ／Ｄ変換器３２は、上記再生増幅器３１により増幅された再生信号をデジタル化して再生データストリームとする。上記ＥＣＣ処理部３３は、上記Ａ／Ｄ変換器３２から供給される再生データストリームにエラー訂正処理を施し、エラー情報やトラック番号情報などを上記制御部４０に供給するとともに、エラー訂正処理済みの再生データストリームを上記ＤＥＭＵＸ３４に供給する。上記ＤＥＭＵＸ３４は、上記ＥＣＣ処理部３３によりエラー訂正処理の施された再生データストリームから再生符号化ビデオデータと再生符号化オーディオデータを分離して復号化処理部３５，３６に供給する。また、上記ＤＥＭＵＸ３４は、つなぎ記録時に、制御部４０により制御されて、上記ＥＣＣ処理部３３によりエラー訂正処理の施された再生データストリームから書き戻しデータを分離して上記メモリ５０に供給する。上記復号化処理部３５，３６は、上記ＤＥＭＵＸ３４により分離された再生符号化ビデオデータと再生符号化オーディオデータにＭＰＥＧ方式に従って復号処理を施すことにより再生ビデオデータと再生オーディオデータを生成する。そして、上記Ｄ／Ａ変換器３７，３８は、上記復号化処理部３５，３６により復号された上記再生ビデオデータと再生オーディオデータをアナログ化して、再生アナログビデオ信号と再生アナログオーディオ信号を出力する。
【００３６】
このような構成の磁気記録再生装置１００において、上記制御部４０は、記録終了時に、記録再生部２０により磁気テープ２４に書き込んだ下地の最後の部分のデータを記録信号処理部１０のＭＵＸ１５を経由してメモリ５０に保存し、あるいは、記録再生部２０により磁気テープ２４から再生して得られた下地最終ブロックのデータを再生信号処理部３０のＤＥＭＵＸ３４を経由してメモリ５０に保存しておく。
【００３７】
そして、上記制御部４０は、操作部６０に操作によりつなぎ記録動作が指定されると、上記メモリ５０に保存されている下地の最後のブロックの最後の有効データにつなげて、新しい記録を行う。下地の最後のブロックの最後の有効データは、書き戻される。
【００３８】
ここで、この磁気記録再生装置１００は、停止（ＳＴＯＰ）モード、記録待機（ＲＥＣＰ）モード、記録（ＲＥＣ）モード、再生（ＰＢ）モード、再生待機（ＰＢＰ）モードの５種類の動作モードをとり、図２に示すように各モード間で動作モードを遷移する。
【００３９】
そして、この磁気記録再生装置１００における制御部４０は、つなぎ記録時に、図３に示すように、ＲＥＣＰモードになる前の動作モードが、ＲＥＣモードであった場合には前の記録の最後の画をつなげる画としてつなぎ記録を開始し、また、ＳＴＯＰモードであった場合には下地の適当な位置の画をつなげる画としてつなぎ記録を開始し、さらに、ＰＢＰモードであった場合にはＰＢＰモードで出ていた画つなげる画としてつなぎ記録を開始する。
【００４０】
上記つなげる画として記録の最後の画をメモリ５０に保存する方式には、次の３つの方式がある。
【００４１】
すなわち、第１の方式では、磁気テープ２４を１倍速で順方向に走行させて、つなげる画として用いる記録の最後の画である下地最終ブロックのデータを再生信号処理部３０のＤＥＭＵＸ３４を経由してメモリ５０に保存する。
【００４２】
また、第２の方式では、ＲＥＣモードにおいて、つなげる画として用いる記録の最後の画である下地最終ブロックのデータを記録信号処理部１０のＭＵＸ３４を経由してメモリ５０に保存する。
【００４３】
さらに、第３の方式では、磁気テープ２４を１／２倍速で順方向走行又は逆方向走行させて、倍密度スキャンによるノントラッキング方式でつなげる画として用いる記録の最後の画である下地最終ブロックのデータを再生して再生信号処理部３０のＤＥＭＵＸ３４を経由してメモリ５０に保存する。
【００４４】
この磁気記録再生装置１００における実際のつなぎ記録時の動作について説明する。
【００４５】
先ず、図４を参照して、第１の記録（ＲＥＣ１）・記録待機（ＲＥＣＰ）・第２の記録（ＲＥＣ２）の順に上記磁気記録再生装置１００の動作モードを遷移させて、つなぎ記録を行う場合について説明する。
【００４６】
ＲＥＣＰモードになる前の動作モードがＲＥＣモードであった場合には、上述の如く前の記録の最後の画をつなげる画としてつなぎ記録を開始するのであるが、上記記録の最後の画のデータをメモリ５０に保存するには、上述の第１乃至第３の方式のいずれかの方式を採用することができる。
【００４７】
すなわち、第１の方式を採用する場合には、図４の（Ａ）に示すように、その下地の最終ブロックのデータを磁気テープ２４に記録した後にＲＥＣＰの指示を受け付けると、図４の（Ｂ）に示すように、磁気テープ２４を３倍速で巻き戻してから、１倍速で順方向に走行させて、つなげる画として用いる記録の最後の画である下地最終ブロックのデータを再生信号処理部３０のＤＥＭＵＸ３４を経由してメモリ５０に保存し、その後、磁気テープ２４を３倍速で所定長だけ巻き戻したのち、記録待機（ＲＥＣＰ）状態での待機点まで順方向走行させて、ＲＥＣＰ状態とする。
【００４８】
そして、このＲＥＣＰ状態でＲＥＣ２開始が指示されると、図４の（Ｃ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００４９】
また、第２の方式を採用する場合には、ＲＥＣ１において、つなげる画として用いる記録の最後の画である下地最終ブロックのデータを記録信号処理部１０のＭＵＸ３４を経由してメモリ５０に保存しておき、その下地の最終ブロックのデータを磁気テープ２４に記録した後にＲＥＣＰの指示を受け付けると、図４の（Ｄ）に示すように、磁気テープ２４を３倍速で所定長だけ巻き戻したのち、記録待機（ＲＥＣＰ）状態での待機点まで順方向走行させて、ＲＥＣＰ状態とする。
【００５０】
そして、このＲＥＣＰ状態でＲＥＣ２開始が指示されると、図４の（Ｅ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００５１】
さらに、第３の方式を採用する場合には、図４の（Ａ）に示すように、その下地の最終ブロックのデータを磁気テープ２４に記録した後にＲＥＣＰの指示を受け付けると、図４の（Ｆ）に示すように、磁気テープ２４を１／２倍速で巻き戻して倍密度スキャンによるノントラッキング方式でつなげる画として用いる記録の最後の画である下地最終ブロックのデータを再生して再生信号処理部３０のＤＥＭＵＸ３４を経由してメモリ５０に保存し、その後、磁気テープ２４を３倍速で所定長だけ巻き戻したのち、ＲＥＣＰ状態での待機点まで順方向走行させて、ＲＥＣＰ状態とする。
【００５２】
そして、このＲＥＣＰ状態でＲＥＣ２開始が指示されると、図４の（Ｇ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００５３】
ここで、上記第２の方式又は第３の方式を採用した場合には、上記第１の方式を採用した場合よりも待ち時間を短くすることができる。
【００５４】
次に、図５を参照して、ＳＴＯＰ・ＲＥＣＰ・ＲＥＣの順に上記磁気記録再生装置１００の動作モードを遷移させて、つなぎ記録を行う場合について説明する。
【００５５】
ＲＥＣＰモードになる前の動作モードがＲＥＣモードであった場合には、上述の如く前の記録の最後の画をつなげる画としてつなぎ記録を開始するのであるが、上記記録の最後の画をメモリ５０に保存する方式には、上述の第１乃至第３の方式を採用することができる。
【００５６】
ＲＥＣＰモードになる前の動作モードがＳＴＯＰモードであった場合には、上述の如く下地の適当な位置の画をつなげる画としてつなぎ記録を開始するのであるが、上記記録の最後の画をメモリ５０に保存する方式には、上述の第１方式又は第３の方式を採用することができる。
【００５７】
すなわち、第１の方式を採用する場合には、図５の（Ａ）に示すように、ＳＴＯＰ状態においてＲＥＣＰの指示を受け付けることにより、図５の（Ｂ）に示すように、磁気テープ２４を１倍速で順方向に走行させて、つなげる画として用いる記録の最後の画である下地最終ブロックのデータを再生信号処理部３０のＤＥＭＵＸ３４を経由してメモリ５０に保存し、その後、磁気テープ２４を３倍速で所定長だけ巻き戻したのち、ＲＥＣＰ状態での待機点まで順方向走行させて、ＲＥＣＰ状態とする。
【００５８】
そして、このＲＥＣＰ状態でＲＥＣ開始が指示されると、図５の（Ｃ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００５９】
また、第３の方式を採用する場合には、図５の（Ａ）に示すように、ＳＴＯＰ状態においてＲＥＣＰの指示を受け付けることにより、図５の（Ｄ）に示すように、磁気テープ２４を１倍速で順方向に走行させた後１／２倍速で倍密度スキャンによるノントラッキング方式でつなげる画として用いる記録の最後の画である下地最終ブロックのデータを再生して再生信号処理部３０のＤＥＭＵＸ３４を経由してメモリ５０に保存し、その後、磁気テープ２４を３倍速で所定長だけ巻き戻したのち、ＲＥＣＰ状態での待機点まで順方向走行させて、ＲＥＣＰ状態とする。
【００６０】
そして、この記録待機（ＲＥＣＰ）状態で第２の記録（ＲＥＣ）の開始が指示されると、図５の（Ｅ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００６１】
この場合の待ち時間は、上記第１の方式と第２の方式であまり変わらない。
【００６２】
さらに、図６を参照して、ＰＢＰ・ＲＥＣＰ・ＲＥＣの順に上記磁気記録再生装置１００の動作を遷移させて、つなぎ記録を行う場合について説明する。
【００６３】
ここで、ＰＢＰ状態での停止点では、再生待機画に対応する下地データは、最終ブロック保存用のメモリ５０は残っていないものとし、ＲＥＣＰモードになる前の動作モードがＰＢＰモードであった場合には、上述の如くＰＢＰモードで出ていた画をつなげる画としてメモリ５０に保存するのであるが、上記ＰＢＰモードで出ていた画を記録の最後の画すなわちつなげる画としてメモリ５０に保存する方式には、上述の第１方式又は第３の方式を採用することができる。
【００６４】
すなわち、第１の方式を採用する場合には、図６の（Ａ）に示すように、ＰＢＰ状態においてＲＥＣＰの指示を受け付けると、図６の（Ｂ）に示すように、先ず磁気テープ２４を３倍速で逆方向に走行させて巻き戻しを行い、次に、１倍速で順方向に走行させて、つなげる画として用いる記録の最後の画である下地最終ブロックのデータを再生信号処理部３０のＤＥＭＵＸ３４を経由してメモリ５０に保存し、その後、磁気テープ２４を３倍速で所定長だけ巻き戻したのち、ＲＥＣＰ状態での待機点まで順方向走行させて、ＲＥＣＰ状態とする。
【００６５】
そして、このＲＥＣＰ状態でＲＥＣ開始が指示されると、図６の（Ｃ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００６６】
また、第３の方式を採用する場合には、図６の（Ａ）に示すように、ＰＢＰ状態においてＲＥＣＰの指示を受け付けると、図６の（Ｄ）に示すように、先ず磁気テープ２４を３倍速で逆方向に走行させて巻き戻しを行い、この巻き戻しの途中で、１／２倍速で倍密度スキャンによるノントラッキング方式でつなげる画として用いる記録の最後の画である下地最終ブロックのデータを再生して再生信号処理部３０のＤＥＭＵＸ３４を経由してメモリ５０に保存し、その後、磁気テープ２４を３倍速で所定長だけ巻き戻したのち、ＲＥＣＰ状態での待機点まで順方向走行させて、ＲＥＣＰ状態とする。
【００６７】
そして、このＲＥＣＰ状態でＲＥＣ開始が指示されると、図６の（Ｅ）に示すように、磁気テープ２４を１倍速で順方向走行させて、実際につなぎ記録を開始するまでの再生助走期間中に、下地にトラッキングを合わせて、上記メモリ５０から下地の最終ブロックのデータを読み出して、上記下地の最終ブロックに書き戻すことにより、上記下地の最終ブロックからつなぎ記録を開始する。
【００６８】
この場合の待ち時間は、上記第２の方式の方が第１の方式よりも短い。
【００６９】
ここで、上記磁気記録再生装置１００においてつなぎ記録を行う場合に、上記各方式を採用した場合の遷移時間の比較結果を図７に示す。
【００７０】
すなわち、磁気テープ２４を１倍速で順方向に走行させて、つなげる画として用いる記録の最後の画である下地最終ブロックのデータを再生信号処理部３０のＤＥＭＵＸ３４を経由してメモリ５０に保存する第１の方式を採用する場合に比べて、記録（ＲＥＣ）モードにおいて、つなげる画として用いる記録の最後の画である下地最終ブロックのデータを記録信号処理部１０のＭＵＸ３４を経由してメモリ５０に保存する第２の方式、あるはい、磁気テープ２４を１／２倍速で順方向走行又は逆方向走行させて、倍密度スキャンによるノントラッキング方式でつなげる画として用いる記録の最後の画である下地最終ブロックのデータを再生して再生信号処理部３０のＤＥＭＵＸ３４を経由してメモリ５０に保存する第３の方式を採用すると、遷移時間が短くなるモードがある。
【００７１】
従って、この磁気記録再生装置１００における制御部４０は、例えば、図８に示す第１乃至第３の制御シーケンスのいずれかのシーケンスに従ってつなぎ記録を行う。
【００７２】
すなわち、第１の制御シーケンスを採用した場合には、制御部４０は、ＲＥＣＰモードになる前の動作モードがＲＥＣモードであった場合に上記第２の方式で下地データをメモリ５０読み込んでつなぎ記録を行い、また、ＲＥＣＰモードになる前の動作モードがＳＴＯＰモードであった場合に上記第１の方式で下地データをメモリ５０読み込んでつなぎ記録を行い、さらに、ＲＥＣＰモードになる前の動作モードがＰＢＰモードであった場合に上記第１の方式で下地データをメモリ５０読み込んでつなぎ記録を行う。
【００７３】
また、第２の制御シーケンスを採用した場合には、制御部４０は、ＲＥＣＰモードになる前の動作モードがＲＥＣモードであった場合に上記第３の方式で下地データをメモリ５０読み込んでつなぎ記録を行い、また、ＲＥＣＰモードになる前の動作モードがＳＴＯＰモードであった場合に上記第１の方式で下地データをメモリ５０読み込んでつなぎ記録を行い、さらに、ＲＥＣＰモードになる前の動作モードがＰＢＰモードであった場合に上記第１の方式で下地データをメモリ５０読み込んでつなぎ記録を行う。
【００７４】
さらに、第３の制御シーケンスを採用した場合には、制御部４０は、ＲＥＣＰモードになる前の動作モードがＲＥＣモードであった場合に上記第２の方式で下地データをメモリ５０読み込んでつなぎ記録を行い、また、ＲＥＣＰモードになる前の動作モードがＳＴＯＰモードであった場合に上記第１の方式で下地データをメモリ５０読み込んでつなぎ記録を行い、さらに、ＲＥＣＰモードになる前の動作モードがＰＢＰモードであった場合に上記第３の方式で下地データをメモリ５０読み込んでつなぎ記録を行う。
【００７５】
この磁気記録再生装置１００では、上記第１乃至第３の制御シーケンスのいずれかのシーケンスに従ってつなぎ記録を行うことにより、書き戻しにより高品位な画像を維持して短い遷移時間でつなぎ記録を行うことができる。
【００７６】
ちなみに、以上の実施の形態の本説明では、説明を分かりやすくするため、例えば図６のＳＴＯＰモード経由の仕様を適当な位置からつなぐとした点など、モードの数を少なくしたり、つなぎ時の仕様を簡易なものとしている。
【図面の簡単な説明】
【００７７】
【図１】本発明を適用した磁気記録再生装置の構成を示すブロック図である。
【図２】上記磁気記録再生装置の動作のモード遷移を模式的に示す図である。
【図３】上記磁気記録再生装置において、つなぎ記録時につなげる画として書き戻す画と記録待機状態になる前の動作モードとの関係を模式的に示す図である。
【図４】上記磁気記録再生装置において、第１の記録（ＲＥＣ１）・記録待機（ＲＥＣＰ）・第２の記録（ＲＥＣ２）の順に遷移させて行うつなぎ記録の様子を模式的に示す図である。
【図５】上記磁気記録再生装置において、停止（ＳＴＯＰ）・記録待機（ＲＥＣＰ）・記録（ＲＥＣ）の順に遷移させて行うつなぎ記録の様子を模式的に示す図である。
【図６】上記磁気記録再生装置において、再生待機（ＰＢＰ）・記録待機（ＲＥＣＰ）・記録（ＲＥＣ）の順に遷移させて行うつなぎ記録の様子を模式的に示す図である。
【図７】上記磁気記録再生装置においてつなぎ記録を行う場合に、つなぎ記録時につなげる画として書き戻す画のデータをメモリに格納するために各種方式採用した場合の遷移時間の比較結果を模式的に示す図である。
【図８】上記磁気記録再生装置において採用される第１乃至第３の制御シーケンスを模式的に示す図である。
【図９】ＭＰＥＧ方式のテープ記録でのつなぎ記録をする際のつなぎ記録前の記録の様子を模式的に示す図である。
【図１０】下地を書き戻さないで次の外符号の符号訂正面から記録するようにしたつなぎ記録の様子を模式的に示す図である。
【図１１】最後のデータが含まれるエラー訂正ブロックを一度読み込んで、追加記録するデータをつなげて書き戻すようにしたつなぎ記録の様子を模式的に示す図である。
【符号の説明】
【００７８】
１  カメラ、２  マイクロホン、１０  記録信号処理部、１１，１２  Ａ／Ｄ変換器、１３，１４  符号化処理部、１５  ＭＵＸ、１６  ＥＣＣ処理部、１７  Ｄ／Ａ変換器、１８  記録増幅器、２０  記録再生部、２１Ａ，２１Ｂ  ２２  回転ドラム、２３  ドラムモータ、２４  磁気テープ、２５  キャプスタンモータ、３０  再生信号処理部、３１  再生増幅器、３２  Ａ／Ｄ変換器、３３  ＥＣＣ処理部、３４  ＤＥＭＵＸ、３５，３６  復号化処理部、３７，３８  Ｄ／Ａ変換器、４０  制御部、５０  メモリ、６０  操作部、１００  磁気記録再生装置
【図１】
2005182954.tif 000003
【図２】
2005182954.tif 000004
【図３】
2005182954.tif 000005
【図４】
2005182954.tif 000006
【図５】
2005182954.tif 000007
【図６】
2005182954.tif 000008
【図７】
2005182954.tif 000009
【図８】
2005182954.tif 000010
【図９】
2005182954.tif 000011
【図１０】
2005182954.tif 000012
【図１１】
2005182954.tif 000013